(57)【要約】【課題】小型化、低騒音化でき、発光管を十分に低温化できる光源装置、およびプロジェクタの提供。【解決手段】電極間で放電発光が行われる発光部１１１、及びこの発光部１１１の両側に設けられる封止部１１２を有する光源ランプ１１と、略楕円面状の反射面を有し光源ランプ１１から放射された光束を一定位置に収束して射出する楕円リフレクタ１２と、反射面がこの楕円リフレクタ１２の反射面と対向配置されるとともに、光源ランプ１１の光束射出前方を覆って光源ランプ１１から放射された光束を楕円リフレクタ１２に反射する副反射鏡１３と、楕円リフレクタ１２の光束射出前方に設けられ、光束を透過させる透明部材１４とを備える光源装置１０は、楕円リフレクタ１２の光束射出前方端部に設けられ、平行化レンズ１４の外周端部を保持する保持部材１６を備え、この保持部材１６は、光を吸収する吸収部材１６４が内側に配設された二重構造とされている。【選択図】図４
2006106656.tif 000002
【特許請求の範囲】
【請求項１】
電極間で放電発光が行われる発光部、及びこの発光部の両側に設けられる封止部を有する発光管と、略楕円面状の反射面を有し前記発光管から放射された光束を一定位置に収束して射出する楕円リフレクタと、反射面がこの楕円リフレクタの反射面と対向配置されるとともに、前記発光管の光束射出前方を覆って前記発光管から放射された光束を前記楕円リフレクタに反射する副反射鏡と、前記楕円リフレクタの光束射出前方に設けられ、光束を透過させる透明部材とを備える光源装置であって、
前記楕円リフレクタの光束射出前方端部に設けられ、前記透明部材の外周端部を保持する保持部材を備え、
この保持部材は、光を吸収する吸収部材が内側に配設された二重構造とされていることを特徴とする光源装置。
【請求項２】
請求項１に記載の光源装置において、
前記保持部材には、空気を導入する吸気口および前記空気を排出する排気口が形成されていることを特徴とする光源装置。
【請求項３】
請求項２に記載の光源装置において、
前記吸気口に空気を供給するファンを有するとともに、
前記吸気口には導入された空気を整流する複数の羽根部材を有するルーバが設けられていることを特徴とする光源装置。
【請求項４】
請求項３に記載の光源装置において、
前記吸収部材は、略円筒形の筒部を含んで形成され、
前記ファンから送風される空気流は、前記吸収部材の内周面に沿った向きで前記保持部材の前記吸気口に導入され、前記吸気口から導入された空気流は、前記楕円リフレクタおよび／または前記吸収部材の内周面に沿って廻るように流れることを特徴とする光源装置。
【請求項５】
請求項３または請求項４に記載の光源装置において、
前記ファンは、空気流を吐出する吐出口を備え、
前記保持部材の前記吸気口と前記ファンの前記吐出口とがダクトにより接続されていることを特徴とする光源装置。
【請求項６】
請求項３から請求項５のいずれかに記載の光源装置において、
前記羽根部材は、前記吸気口の開口面に対し、該吸気口から前記発光部に向かって傾斜するように配置されていることを特徴とする光源装置。
【請求項７】
請求項３から請求項６のいずれかに記載の光源装置において、
前記羽根部材は、前記吸収部材を切り起こした切り起こし片として、前記吸収部材と一体に形成されていることを特徴とする光源装置。
【請求項８】
光源から射出された光束を画像情報に応じて変調して光学像を形成し、拡大投写するプロジェクタであって、
請求項１から請求項７のいずれかに記載の光源装置を備えることを特徴とするプロジェクタ。
【発明の詳細な説明】
【技術分野】
【０００１】
本発明は、電極間で放電発光が行われる発光部、及びこの発光部の両側に設けられる封止部を有する発光管と、略楕円面状の反射面を有し前記発光管から放射された光束を一定位置に収束して射出する楕円リフレクタと、反射面がこの楕円リフレクタの反射面と対向配置されるとともに、前記発光管の光束射出前方を覆って前記発光管から放射された光束を前記楕円リフレクタに反射する副反射鏡と、前記楕円リフレクタの光束射出前方に設けられ光束を透過させる透明部材とを備える光源装置、およびこの光源装置を備えたプロジェクタに関する。
【背景技術】
【０００２】
従来、光源から射出された光束を画像情報に応じて変調し、光学像を拡大投写するプロジェクタがパーソナルコンピュータとともに会議、学会、展示会でのプレゼンテーション用途に利用されており、近年では、ホームシアター用途にも利用されている。
このようなプロジェクタに用いられる光源装置としては、メタルハライドランプや高圧水銀ランプ等の高輝度で発光する放電型発光管にリフレクタを取り付けたものがあり、近年では、反射面が楕円面状の楕円リフレクタを使用したものが知られている（例えば、特許文献１）。
この楕円リフレクタでは、楕円リフレクタの光束射出後方側となる楕円第１焦点の位置に発光管の発光中心を配置し、光束射出前方側となる第２焦点の位置に反射光束を収束させる。楕円リフレクタとともに副反射鏡を備えた光源装置は、楕円リフレクタの第１焦点と第２焦点とを近づけ、集光量に対して開口径を小さく、すなわち、浅くできるとともに、低出力光源でも効率よく集光できる。したがって、光源装置が組み込まれるプロジェクタの小型化や高輝度化を促進できる。
【０００３】
一方、楕円リフレクタの光束射出前方には、特許文献１にもあるように、平行化レンズ等の透明部材が設けられ、光源光はこの透明部材を介して、光源装置後段の光学系に入射する。
このような透明部材は、保持部材によって所定の光軸上に保持されており、この保持部材を楕円リフレクタの光束射出前方端部から透明部材の外周部分まで覆うように設け、光学的に制御できずに不使用光となってしまう迷光の漏出を防止するのが好ましい。
ここで、この保持部材は、発光管からの放射光束の照射を受けて熱劣化しやすい。そのため、この保持部材にはアルミニウム等の金属材料を使用した遮光部材を設けて、耐熱性を高めていた。
【０００４】
【特許文献１】特開２０００−３４７２９３号公報（図１、図３）
【発明の開示】
【発明が解決しようとする課題】
【０００５】
しかしながら、上記のように浅い楕円リフレクタおよび副反射鏡を採用する場合、副反射鏡によって覆われた発光管の過熱を防止するために、副反射鏡は赤外線や紫外線を透過させる仕様とするのが好ましい。この場合、副反射鏡によって可視光線が楕円リフレクタに向かって反射される一方、赤外線ないし紫外線は副反射鏡の反射面を透過して透明部材が設けられている側に向かうので、これらの赤外線や紫外線によって透明部材を保持する保持部材が照明される。また、楕円リフレクタの光束射出前方側に発光管が突出するので、保持部材の内周面に発光管が対向配置された状態となる。このような構成において、保持部材の内側に設けられた金属製の遮光部材によって副反射鏡を透過した赤外線や紫外線等の迷光が反射し照り返しが生じるので、この照り返された迷光によって発光管の封止部や発光部が照射され、過熱により、発光管の寿命が短くなってしまう。さらには、光源装置の内部の熱が上昇する問題が生じていた。
【０００６】
なお、発光管の光束射出前方側の封止部突端は、楕円リフレクタの第２焦点位置となる光の収束部分にも近く、保持部材での照り返しと相まって温度上昇が激しいため、まず、この部分の温度を下げる必要がある。
一方、ファン送風等によって発光管を冷却する場合、迷光を遮光している保持部材に大きな開口を形成することができないので、十分に冷却するのが難しい。また、ファンを大型化したり、回転数を上げたりすると騒音化につながってしまう。
【０００７】
本発明の目的は、上記問題に鑑みて、小型化および低騒音化に対応できるとともに、発光管を十分に低温化できる光源装置、およびこの光源装置を備えるプロジェクタを提供することにある。
【課題を解決するための手段】
【０００８】
本発明の光源装置は、電極間で放電発光が行われる発光部、及びこの発光部の両側に設けられる封止部を有する発光管と、略楕円面状の反射面を有し前記発光管から放射された光束を一定位置に収束して射出する楕円リフレクタと、反射面がこの楕円リフレクタの反射面と対向配置されるとともに、前記発光管の光束射出前方を覆って前記発光管から放射された光束を前記楕円リフレクタに反射する副反射鏡と、前記楕円リフレクタの光束射出前方に設けられ、光束を透過させる透明部材とを備える光源装置であって、前記楕円リフレクタの光束射出前方端部に設けられ、前記透明部材の外周端部を保持する保持部材を備え、この保持部材は、光を吸収する吸収部材が内側に配設された二重構造とされていることを特徴とする。
【０００９】
本発明によれば、保持部材が内側部分に吸収部材が配設された二重構造とされていることにより、発光管から楕円リフレクタの射出方向前方に射出され副反射鏡を透過した光束は、該吸収部材によって光吸収されるため、保持部材を直接照射する光や再び発光管へ照り返される光を確実に減少させることができる。これにより、光源装置の小型化のために楕円リフレクタの楕円面状の開口径が小さく、発光管の封止部が楕円リフレクタの開口から突出し、保持部材に覆われるように対向配置されていても、光照射による保持部材の熱劣化および発光管の加熱等の影響が確実に低減され、光源装置を長寿命化することができる。また、保持部材は吸収部材により二重構造となっており、上述のように内側に配設された吸収部材によって光が吸収されるため、保持部材全体として光源光による熱劣化が防止される。つまり、吸収部材によって耐熱性が確保されているから、外側には熱で劣化しやすい部材を採用することもできる。したがって、例えば、合成樹脂等によって外側の部材を形成することにより、軽量化、低コスト化、成形の容易化を促進できる。
【００１０】
本発明の光源装置では、前記保持部材には、空気を導入する吸気口および前記空気を排出する排気口が形成されていることが好ましい。
本発明の光源装置では、前記吸気口に空気を供給するファンを有するとともに、前記吸気口には導入された空気を整流する複数の羽根部材を有するルーバが設けられていることが好ましい。
この発明によれば、吸気口から外部の空気が導入され、発光管をより低温化できる。
さらに、ファンとルーバとを備えることによって、ファンにより供給されかつルーバによって整流された空気によって発光管が効率良く冷却されるので、発光管をより一層低温化できる。
【００１１】
本発明の光源装置では、前記吸収部材は、略円筒形の筒部を含んで形成され、前記ファンから送風される空気流は、前記吸収部材の内周面に沿った向きで前記保持部材の前記吸気口に導入され、前記吸気口から導入された空気流は、前記楕円リフレクタおよび／または前記吸収部材の内周面に沿って廻るように流れることが好ましい。
また、本発明の光源装置では、前記ファンは、空気流を吐出する吐出口を備え、前記保持部材の前記吸気口と前記ファンの前記吐出口とがダクトにより接続されていることが好ましい。
【００１２】
この発明によれば、ファンから送風される空気流が、吸収部材の内周面に沿った向きで保持部材の吸気口に導入され、楕円リフレクタおよび／または吸収部材の内周面に沿って廻るように空気流が流れるから、楕円リフレクタおよび／または吸収部材を満遍なく冷却することが可能となる。また、ファンから空気流が吐出される吐出口と保持部材の吸気口とをダクトによって接続することにより、ファンから吹き出す空気を無駄なく光源装置内に勢い良く流入させることができる。つまり、ダクトにより風量損失および風圧損失が抑制され、ファンから吐出した空気流を楕円リフレクタおよび／または保持部材の内周面に沿って滑らかによどみなく回流させることができる。
【００１３】
このように、外部から供給される空気流が楕円リフレクタの内側および／または吸収部材の内周面に沿って風量十分に廻るように流れることで、発光管から放射された光によって楕円リフレクタ、発光部および吸収部材の温度が上昇しても、回流する冷却空気によって効率良く十分に冷却される。
したがって、冷却された吸収部材によって、発光管から照射された光を十分に吸収できるので、発光管の低温化を一層促進できる。
なお、吸気口は保持部材の任意の部分に設けられているが、ルーバの複数の羽根部材は吸収部材の内周面にほぼ沿って延びているため、楕円リフレクタの中心軸をほぼ中心に廻る冷却空気の流れがルーバによって妨げられることはない。
【００１４】
本発明の光源装置では、前記羽根部材は、前記吸気口の開口面に対し、該吸気口から前記発光部に向かって傾斜するように配置されていることが好ましい。
この発明によれば、上述したような吸収部材の光吸収により、特に楕円リフレクタから突出する発光管の封止部の突端部分で十分な低温化を図ることができるので、羽根部材の傾きを発光部に向かうように設定し、外部からの導入空気を発光部に向けて流すことにより、発光管全体を一層効率よく、満遍なく低温化できる。さらに、導入する空気の風量は発光部が充分に冷却される風量だけで済むので、ファンの消費電力を抑制できるとともに、低騒音化が可能である。
【００１５】
本発明の光源装置では、前記羽根部材は、前記吸収部材を切り起こした切り起こし片として、前記吸収部材と一体に形成されていることが好ましい。
この発明によれば、吸収部材と羽根部材とが一体化されていることにより、外部からの導入空気がルーバを通過する際に、羽根部材が外部空気によって冷却されるとともに、光の吸収熱で過熱しやすい吸収部材の冷却も図られる。また、羽根部材が吸収部材と同材料で形成されるため、ルーバ部分でも光源光が吸収される。
したがって、冷却された吸収部材および羽根部材により、発光管から照射された光を十分に吸収でき、発光管の低温化をより一層促進できる。
また、プレス等により、板金材料から切り起こし加工によって羽根部材を形成すれば、ルーバを別途用意するコストや組み立てる工程が省け、低コスト化を実現できる。
【００１６】
本発明のプロジェクタは、光源から射出された光束を画像情報に応じて変調して光学像を形成し、拡大投写するプロジェクタであって、上記いずれかの本発明の光源装置を備えることを特徴とする。
この発明によれば、本発明の光源装置が前述のような作用及び効果を具備するため、同様の作用及び効果を享受でき、プロジェクタの小型化および低騒音化にも対応できる。
【発明を実施するための最良の形態】
【００１７】
〔第１実施形態〕
以下、本発明の第１実施形態を図面に基づいて説明する。
図１には、本発明の第１実施形態に係るプロジェクタ１の光学系を表す模式図が示されている。このプロジェクタ１は、光源から射出された光束を、画像情報に応じて変調して光学像を形成し、スクリーン上に拡大投写する光学機器であり、光源装置としての光源ランプユニット１０、均一照明光学系２０、色分離光学系３０、リレー光学系３５、光学装置４０、及び投写光学系５０を備えて構成され、光学系２０〜３５を構成する光学素子は、所定の照明光軸Ｘが設定された光学部品用筐体２内に位置決め調整されて収納されている。
なお、プロジェクタ１は複数のファンを備え、光源ランプユニット１０および光学系２０〜３５を対象とする冷却機構が構成されているが、ここでは説明を省略する。
【００１８】
光源ランプユニット１０は、光源ランプ１１から放射された光束を一定位置に収束して射出し、光学装置４０を照明するものであり、詳しくは後述するが、光源ランプ１１、楕円リフレクタ１２、副反射鏡１３、及び平行化凹レンズ１４を備えている。
そして、光源ランプ１１から放射された光束は、楕円リフレクタ１２により装置前方側に収束された収束光として射出され、平行化凹レンズ１４によって平行化され、均一照明光学系２０に射出される。
【００１９】
均一照明光学系２０は、光源ランプユニット１０から射出された光束を複数の部分光束に分割し、照明領域の面内照度を均一化する光学系であり、第１レンズアレイ２１、第２レンズアレイ２２、ＰＢＳアレイ２３、コンデンサレンズ２４、及び反射ミラー２５を備えている。
第１レンズアレイ２１は、光源ランプ１１から射出された光束を複数の部分光束に分割する光束分割光学素子としての機能を有し、照明光軸Ｘと直交する面内にマトリクス状に配列される複数の小レンズを備えて構成され、各小レンズの輪郭形状は、後述する光学装置４０を構成する液晶パネル４２Ｒ、４２Ｇ、４２Ｂの画像形成領域の形状とほぼ相似形をなすように設定されている。
第２レンズアレイ２２は、前述した第１レンズアレイ２１により分割された複数の部分光束を集光する光学素子であり、第１レンズアレイ２１と同様に照明光軸Ｘに直交する面内にマトリクス状に配列される複数の小レンズを備えた構成であるが、集光を目的としているため、各小レンズの輪郭形状が液晶パネル４２Ｒ、４２Ｇ、４２Ｂの画像形成領域の形状と対応している必要はない。
【００２０】
ＰＢＳアレイ２３は、第１レンズアレイ２１により分割された各部分光束の偏光方向を一方向の直線偏光に揃える偏光変換素子である。
このＰＢＳアレイ２３は、図示を略したが、照明光軸Ｘに対して傾斜配置される偏光分離膜及び反射ミラーを交互に配列した構成を具備する。偏光分離膜は、各部分光束に含まれるＰ偏光光束及びＳ偏光光束のうち、一方の偏光光束を透過し、他方の偏光光束を反射する。反射された他方の偏光光束は、反射ミラーによって曲折され、一方の偏光光束の射出方向、すなわち照明光軸Ｘに沿った方向に射出される。射出された偏光光束のいずれかは、ＰＢＳアレイ２３の光束射出面に設けられる位相差板によって偏光変換され、すべての偏光光束の偏光方向が揃えられる。このようなＰＢＳアレイ２３を用いることにより、光源ランプ１１から射出される光束を、一方向の偏光光束に揃えることができるため、光学装置４０で利用する光源光の利用率を向上することができる。
【００２１】
コンデンサレンズ２４は、第１レンズアレイ２１、第２レンズアレイ２２、及びＰＢＳアレイ２３を経た複数の部分光束を集光して液晶パネル４２Ｒ、４２Ｇ、４２Ｂの画像形成領域上に重畳させる光学素子である。このコンデンサレンズ２４は、本例では光束透過領域の入射側端面が平面で射出側端面が球面の球面レンズであるが、射出側端面が双曲面状の非球面レンズを用いることも可能である。
このコンデンサレンズ２４から射出された光束は、反射ミラー２５で曲折されて色分離光学系３０に射出される。
【００２２】
色分離光学系３０は、２枚のダイクロイックミラー３１、３２と、反射ミラー３３とを備え、ダイクロイックミラー３１、３２より均一照明光学系２０から射出された複数の部分光束を、赤（Ｒ）、緑（Ｇ）、青（Ｂ）の３色の色光に分離する機能を具備する。
ダイクロイックミラー３１、３２は、基板上に所定の波長領域の光束を反射し、他の波長の光束を透過する波長選択膜が形成された光学素子であり、光路前段に配置されるダイクロイックミラー３１は、赤色光を透過し、その他の色光を反射するミラーである。光路後段に配置されるダイクロイックミラー３２は、緑色光を反射し、青色光を透過するミラーである。
【００２３】
リレー光学系３５は、入射側レンズ３６と、リレーレンズ３８と、反射ミラー３７、３９とを備え、色分離光学系３０を構成するダイクロイックミラー３２を透過した青色光を光学装置４０まで導く機能を有している。尚、青色光の光路にこのようなリレー光学系３５が設けられているのは、青色光の光路長が他の色光の光路長よりも長いため、光の発散等による光の利用効率の低下を防止するためである。本例においては青色光の光路長が長いのでこのような構成とされているが赤色光の光路長を長くする構成も考えられる。
【００２４】
前述したダイクロイックミラー３１により分離された赤色光は、反射ミラー３３により曲折された後、フィールドレンズ４１を介して光学装置４０に供給される。また、ダイクロイックミラー３２により分離された緑色光は、そのままフィールドレンズ４１を介して光学装置４０に供給される。さらに、青色光は、リレー光学系３５を構成するレンズ３６、３８及び反射ミラー３７、３９により集光、曲折されてフィールドレンズ４１を介して光学装置４０に供給される。尚、光学装置４０の各色光の光路前段に設けられるフィールドレンズ４１は、第２レンズアレイ２２から射出された各部分光束を、照明光軸Ｘに対して平行な光束に変換するために設けられている。
【００２５】
光学装置４０は、入射した光束を画像情報に応じて変調してカラー画像を形成するものであり、照明対象となる光変調装置としての液晶パネル４２（４２Ｒ，４２Ｇ，４２Ｂ）と、色合成光学系としてのクロスダイクロイックプリズム４３とを備えて構成される。尚、フィールドレンズ４１及び各液晶パネル４２Ｒ、４２Ｇ、４２Ｂの間には、入射側偏光板４４が介在配置され、図示を略したが、各液晶パネル４２Ｒ、４２Ｇ、４２Ｂ及びクロスダイクロイックプリズム４３の間には、射出側偏光板が介在配置され、入射側偏光板４４、液晶パネル４２Ｒ、４２Ｇ、４２Ｂ、及び射出側偏光板によって入射する各色光の光変調が行われる。
【００２６】
液晶パネル４２Ｒ、４２Ｇ、４２Ｂは、一対の透明なガラス基板に電気光学物質である液晶を密閉封入したものであり、例えば、ポリシリコンＴＦＴをスイッチング素子として、与えられた画像信号に従って、入射側偏光板４４から射出された偏光光束の偏光方向を変調する。この液晶パネル４２Ｒ、４２Ｇ、４２Ｂの変調を行う画像形成領域は、矩形状であり、その対角寸法は、例えば０．７インチである。
【００２７】
クロスダイクロイックプリズム４３は、射出側偏光板から射出された各色光毎に変調された光学像を合成してカラー画像を形成する光学素子である。このクロスダイクロイックプリズム４３は、４つの直角プリズムを貼り合わせた平面視略正方形状をなし、直角プリズム同士を貼り合わせた界面には、誘電体多層膜が形成されている。略Ｘ字状の一方の誘電体多層膜は、赤色光を反射するものであり、他方の誘電体多層膜は、青色光を反射するものであり、これらの誘電体多層膜によって赤色光及び青色光は曲折され、緑色光の進行方向と揃えられることにより、３つの色光が合成される。
そして、クロスダイクロイックプリズム４３から射出されたカラー画像は、投写光学系５０によって拡大投写され、図示を略したスクリーン上で大画面画像を形成する。
【００２８】
図２は、光源ランプユニット１０を斜め後方から示す図であり、図３および図４は、光源ランプユニット１０の側断面図である。
光源ランプユニット１０は、前述した光源ランプ１１、楕円リフレクタ１２、副反射鏡１３、及び平行化凹レンズ１４のほかに、平行化凹レンズを保持する保持部材１６と、ランプハウジング１５とを備えて構成されている。
発光管としての光源ランプ１１は、中央部が球状に膨出した石英ガラス管から構成され、中央部分が発光部１１１、この発光部１１１の両側に延びる部分が封止部１１２とされている。
この光源ランプ１１には、メタルハライドランプ、高圧水銀ランプ、超高圧水銀ランプのいずれかが採用されており、当該ランプは、高輝度であるとともに、強い紫外線を含んで発光する。
【００２９】
発光部１１１の内部には、図３で示すように、内部に所定距離で離間配置される一対のタングステン製の電極１１３と、水銀、希ガス、及び少量のハロゲンが封入されている。
封止部１１２の内部には、発光部１１１の電極１１３と電気的に接続されるモリブデン製の金属箔１１４が挿入され、封止部１１２はガラス材料等で封止されている。そして、この金属箔１１４に接続されたリード線１１５に電圧を印加すると、一対の電極１１３間でアーク放電が生じ、発光部１１１が発光する。
【００３０】
楕円リフレクタ１２は、光源ランプ１１の封止部１１２が挿通される首状部１２１及びこの首状部１２１から拡がる楕円曲面状の反射部１２２を備えた石英ガラス製の一体成形品である。
首状部１２１には、中央に挿入孔１２３が形成されており、この挿入孔１２３に封止部１１２が配置される。
反射部１２２の楕円曲面状のガラス面には、金属薄膜蒸着によって増反射膜である誘電体多層膜が成膜された反射面１２４（図３）が構成されている。なお、耐熱性の点で、この反射面１２４は、例えば、タンタル化合物とＳｉＯ２の交互積層、又はハフニウム化合物とＳｉＯ２の交互積層等から構成されるのが好ましい。
また、この反射面１２４は、可視光を反射して赤外線および紫外線を透過するコールドミラーが形成された仕様となっている。
光源ランプ１１は、この反射部１２２の内部に配置され、発光部１１１内の電極１１３間の発光中心Ｏ（図３）が反射面１２４の楕円曲面の第１焦点Ｆ１位置となるように配置される。
そして、光源ランプ１１を点灯すると、図３に示されるように、発光部１１１から放射された光束は反射面１２４で反射され、楕円曲面の第２焦点Ｆ２位置に収束する収束光となる。
【００３１】
この楕円リフレクタ１２に光源ランプ１１を固定する際には、光源ランプ１１の封止部１１２を楕円リフレクタ１２の挿入孔１２３に挿入し、発光部１１１内の電極１１３間の発光中心Ｏが反射面１２４の楕円曲面の焦点となるように配置し、挿入孔１２３内部にシリカ・アルミナを主成分とする無機系接着剤を充填する。
また、反射部１２２の光軸方向寸法は、光源ランプ１１の長さ寸法よりも短くなっていて、前述のように楕円リフレクタ１２に光源ランプ１１を固定すると、光源ランプ１１の光束射出前方側の封止部１１２が楕円リフレクタ１２の光束射出開口から突出する。
【００３２】
副反射鏡１３は、図３に示すように、光源ランプ１１の発光部１１１の光束射出前方側略半分を覆う反射部材であり、副反射鏡１３は、例えば低熱膨張材である石英又はネオセラムや、高熱伝導材である透光性アルミナ、サファイア、水晶、蛍石、ＹＡＧ等を利用して製作される。
この副反射鏡１３の反射面１３１は、発光部１１１の球面に倣う凹曲面状に形成され、楕円リフレクタ１２の反射面１２４と同様に、増反射膜である誘電体多層膜が成膜されている。この反射面１３１も、可視光のみを反射させ、赤外線および紫外線を透過させるコールドミラーとなっている。
【００３３】
ここで、光源ランプ１１から放射される光束について詳しく見てみると、図３に示されるように、発光部１１１の発光中心Ｏから放射された光束のうち、楕円リフレクタ１２に向かった光束Ｌ１は、楕円リフレクタ１２の反射面１２４によって反射され、第２焦点Ｆ２位置に向かって射出される。
また、発光部１１１の発光中心Ｏから楕円リフレクタ１２とは反対側に放射される光束Ｌ２は、副反射鏡１３の反射面１３１によって楕円リフレクタ１２側に反射され、さらに楕円リフレクタ１２の反射面１２４で反射されて楕円リフレクタ１２から第２焦点Ｆ２位置に向かって収束するように射出される。
つまり、副反射鏡１３が設けられていることによって、発光部１１１から楕円リフレクタ１２とは反対側（前方側）に放射された光束を、光源ランプ１１から楕円リフレクタ１２の反射面１２４に直接入射した光束と同様に、楕円リフレクタ１２の第２焦点Ｆ２位置に収束させることができる。
【００３４】
従来は副反射鏡１３が設けられておらず、光源ランプ１１から射出された光束を楕円リフレクタ１２のみで第２焦点Ｆ２位置に収束しなければならず、楕円リフレクタ１２の開口部を広げなければならなかった。
しかし、副反射鏡１３を設けることによって、光源ランプ１１から楕円リフレクタ１２とは反対側（光束射出前方側）に射出された光束を副反射鏡１３にて楕円リフレクタ１２の反射面１２４に入射するように反射させることができるので、反射面１２４の楕円曲面すなわち反射部１２２が小さくても、発光部１１１から射出された光束をほとんどすべて一定位置に収束するように射出でき、楕円リフレクタ１２の光軸方向寸法および開口径を小さくすることができる。したがって、光源ランプユニット１０やプロジェクタ１を小型化でき、光源ランプユニット１０をプロジェクタ１内に組込むレイアウトも容易になる。
【００３５】
また、副反射鏡１３を設けることにより、第２焦点Ｆ２での集光スポット径を小さくするために楕円リフレクタ１２の第１焦点Ｆ１と第２焦点Ｆ２を近づけたとしても、発光部１１１から放射された光のほとんど全てが楕円リフレクタ１２および副反射鏡１３により第２焦点に集光されて利用可能となり、光の利用効率を大幅に向上させることができる。
このことから、比較的低出力の光源ランプ１１が採用可能となり、光源ランプ１１および光源ランプユニット１０の低温化を図ることも可能である。
【００３６】
ランプハウジング１５は、断面Ｌ字状の合成樹脂製の一体成形品であり、水平部１５１及び垂直部１５２を備えている。
水平部１５１は、光学部品用筐体２の壁部と係合し、光源ランプユニット１０を光学部品用筐体２内に隠蔽して光漏れが出ないようにする部分である。また、図示を省略したが、この水平部１５１には、光源ランプ１１を外部電源と電気的に接続するための端子台が設けられており、この端子台には、光源ランプ１１に接続されたリード線１１５が接続される。
【００３７】
垂直部１５２は、楕円リフレクタ１２の光軸方向の位置決めを行う部分であり、この垂直部１５２に対して楕円リフレクタ１２の光束射出開口側先端部分が機械的な押圧や接着剤等で固定される。この垂直部１５２には、楕円リフレクタ１２の光束射出開口端縁に沿って開口部１５３が形成されている。
また、このような水平部１５１及び垂直部１５２には、突起および凹部が形成されており、これらの突起・凹部が光学部品用筐体２内に形成された凹部・突起とそれぞれ係合することにより、光源ランプ１１の発光中心Ｏが光学部品用筐体２の照明光軸Ｘ上に配置される。
【００３８】
平行化凹レンズ１４は、光源ランプ１１から放射された光束を平行化するためのものであり、図３に示すように、光束入射面１４１が非球面、例えば双曲面の凹面となっており、光束射出面１４２が平面となっている。この平行化凹レンズ１４の光束透過方向に沿った厚さ寸法のうち、最も薄い部分、すなわち、凹面の最も光束射出面１４２側に窪んだ部分と、光束射出面１４２との間の寸法は、２ｍｍ以上、例えば３ｍｍとなっている。
このような平行化凹レンズ１４の光束入射面１４１には、反射防止膜（ＡＲコート・Anti Reflection Coating）が施されている。このようにすることで、光の利用効率を向上させることができる。さらに、平行化凹レンズ１４の光束射出面１４２には、紫外線カット膜が形成されている。この紫外線カット膜は、紫外線を反射させることにより、紫外線の透過を防止するものであり、これにより、光源ランプユニット１０から紫外線が射出されることを防止することができる。
【００３９】
保持部材１６は、楕円リフレクタ１２の光束射出開口に応じた円筒形状であって、楕円リフレクタ１２とは反対側から垂直部１５２に接着固定され、平行化凹レンズ１４の外周端部を保持するものである。
この保持部材１６は、外側に設けられた保持部材本体１６３と、その内側に設けられた吸収部材１６４との二重構造となっている。
この外側の保持部材本体１６３は、ポリフェニレンサルファイド（ＰＰＳ）やベクトラ（ＬＣＰ）等の合成樹脂射出成形品であり、一体成形された筒部１６１および保持部１６２で構成されている。筒部１６１は、内部に光源ランプ１１を覆っている。保持部１６２は、この筒部１６１の光束射出側端面を塞ぐように設けられ、平行化凹レンズ１４が嵌め込まれる開口１６２Ａが形成されている。
上述のように、光源ランプ１１の封止部１１２が楕円リフレクタ１２から光束射出前方に突出しており、突出した封止部１１２が保持部材１６に覆われている。
【００４０】
内側の吸収部材１６４は、保持部材本体１６３に対する光源ランプ１１からの光を遮光し、かつ、反射率が低く光吸収可能な各種の部材から構成できる。遮光特性を有しながら反射率を低く抑えるには、例えば、アルミニウム、マグネシウム、チタン、鉄、銅、これらの合金等の金属板を基板として、内面側の表面に黒アルマイト処理を施したり、腐食加工、エッチングなどによって表面を荒らしたりすることができる。
なお、アルミニウムの無垢基板の反射率は約８０％であるが、この黒アルマイト処理によって反射率が約２０％以下に抑えられ、吸収部材１６４に入射した光束が確実に吸収・遮光される。
このような吸収部材１６４の黒アルマイト処理に基く耐食性および光吸収作用により、保持部材本体１６３が保護され、熱劣化や、シロキサン等の有害なガスの発生を防止できる。
また、吸収部材１６４により保持部材１６全体としての耐熱性が確保できるので、保持部材本体１６３の材料の選択肢が広がり、軽量化や低コスト化、成形の容易化に応じることができる。
【００４１】
ところで、上述のように、楕円リフレクタ１２および副反射鏡１３に反射され、第２焦点Ｆ２位置に収束するのは、光源ランプ１１の光源光のうち、可視光線についてであって、光源光に含まれる赤外線および紫外線については可視光線の場合と相違する。
つまり、図４に示すように、光源ランプ１１から楕円リフレクタ１２に射出された赤外線ＩＲ１および紫外線ＵＶ１は、反射部１２２から楕円リフレクタ１２の基材を突き抜け、光源ランプユニット１０の外部に射出する。これにより、楕円リフレクタ１２の反射部１２２の裏側に熱が逃げ、光源ランプ１１を熱線である赤外線、および紫外線から保護できる。なお、楕円リフレクタ１２を突き抜けた赤外線ＩＲ１および紫外線ＵＶ１は、光源ランプユニットを覆っている光学部品用筐体２によって遮光され外部へ漏出しない。
【００４２】
一方、光源ランプ１１から副反射鏡１３側に射出された赤外線ＩＲ２、ＩＲ３は、副反射鏡１３を突き抜けるが、その射出方向は保持部材１６によって覆われており、光源ランプユニット１０の外部には漏出しない。
このように、保持部材１６によって遮光された赤外線ＩＲ２，ＩＲ３は、保持部材１６内側に設けられている吸収部材１６４によって大部分が吸収され、照り返しを十分に低減できる。
【００４３】
ここで、発光部１１１から射出される光について説明する。一般的に知られているように、光源ランプ１１内の一対の電極１１３の間に生じたアークからは、電極１１３間の中心点から電極１１３の軸方向に直交する方向に広がる軸対称の配光分布を有する光が射出されている。この配光分布は、電極１１３の間に生じたアーク中心から、電極１１３の軸方向に直交する方向に射出される光のエネルギーが大きく、電極１１３の軸方向に対して平行な方向に傾くにつれて射出される光のエネルギーは小さくなるのが一般的である。
【００４４】
従って、この配光分布により、副反射鏡１３を透過して吸収部材１６４に吸収される赤外線においても、赤外線ＩＲ２のほうが赤外線ＩＲ３に比べると光エネルギーが大きくなる。すなわち、赤外線ＩＲ２を吸収部材１６４で熱吸収することにより、強い光エネルギーを有する赤外線ＩＲ２による封止部１１２の過熱を防げるので、封止部１１２での温度上昇を大幅に抑制でき低温化の効果が高い。
また、図４に示されるように、副反射鏡１３を透過した赤外線ＩＲ３が、最初に入射した保持部１６２部分の吸収部材１６４で十分に吸収しきれず、残りの光が筒部１６１に向かって反射されたとしても、筒部１６１部分の吸収部材１６４で十分に吸収できる。したがって、発熱部である発光部１１１近辺への照り返しをほとんど無くせるので、発光部１１１もまた低温化できる。
上述したように光源ランプ１１が満遍なく低温化されるので、ランプ寿命を延ばせる。
なお、副反射鏡１３は、紫外線をも透過する仕様であり、紫外線ＵＶ２，ＵＶ３も赤外線ＩＲ２，ＩＲ３と略同様に副反射鏡１３を透過し、吸収部材１６４によって吸収されるため、光源ランプ１１の過熱の問題を解決できる。本実施形態の光源ランプ１１からは紫外線が多く射出されているが、上述した赤外線と同様に吸収部材１６４によって熱吸収されるため、光源ランプ１１の低温化の効果を高くできる。
【００４５】
一方、冷却機構におけるファン送風によって、光源ランプユニット１０の強制冷却を図る場合は、保持部材１６の筒部１６１の一方の側面に吸気口９０を、他方の側面の吸気口９０に対応した位置に排気口９５を、保持部材本体１６３および吸収部材１６４を矩形状に切り欠いて形成する。しかし、上述したように、光源ランプ１１ないし光源ランプユニット１０は十分に低温化されているので、光源ランプユニット１０の外側から吸気口９０を介して単純に冷却空気を吹き付け排気口９５へと排気させるだけで光源ランプ１１の低温化の一助となり、騒音化することもない。
なお、吸気口９０と排気口９５には、光源ランプ１１の破裂時にランプの破片が飛散しないようにメッシュ（図示しない）が備えられている。
【００４６】
以上まとめると、吸収部材１６４での光吸収に応じて、すなわち光反射率に応じて、光源ランプ１１の温度上昇を抑制し低温化できる。吸収部材１６４の光反射率は、光源ランプ１１の種類や出力等、あるいは楕円リフレクタ１２の形状等に応じて、適宜設定すればよい。
【００４７】
〔第２実施形態〕
次に、本発明の第２実施形態について説明する。
なお、以下の説明では、既に説明した実施形態と同様の構成については、同一符号を付して、説明を省略もしくは簡略化する。
第１実施形態では、吸収部材１６４による光の吸収によって、光源ランプ１１が低温化されていた。
第２実施形態では、さらに、ファン送風によって光源ランプユニット１０に外部空気が導入されており、この外部空気によっても光源ランプ１１が低温化されている。以下、具体的に説明する。
【００４８】
図５は、本実施形態に係るプロジェクタ１の構造を模式的に示す平面図である。
本実施形態は、前記実施形態では説明を省略した冷却機構の構成に特徴があり、プロジェクタ１は、筐体Ｒの内部に発生する熱を外部へと放出する冷却ユニット６０を備えて構成されている。
プロジェクタ１の筐体Ｒは、前面に、プロジェクタ１内の空気を排出するための排気口２Ｂ，２Ｃが形成されている。また、底面には、光学装置４０に対応する位置に、外部から冷却空気を吸入するための図示しない吸気口が形成されている。
【００４９】
冷却ユニット６０は、プロジェクタ１内の流路に冷却空気を取り込んで、この取り込んだ冷却空気にプロジェクタ１内で発生した熱を吸収させ、この温められた冷却空気を外部へと排出することにより、プロジェクタ１内を冷却するものである。この冷却ユニット６０は、軸流吸気ファン６１と、シロッコファン６２と、軸流排気ファン６３とを備える。
【００５０】
シロッコファン６２は、光源ランプユニット８０の側方に沿って、光束射出前方側から光源ランプユニット８０とはす向かいに配置されている。
【００５１】
このシロッコファン６２は、具体的な図示を省略したが、内部に駆動モータ、この駆動モータに軸支される回転翼としてあおり前屈する多翼部材、およびこれを収納するケーシングを備える遠心式ファンであり、回転面に応じた位置に吸気口６２１（図６）が形成され、回転面の外周部分には吐出口６２２（図６）が形成されている。
そして、吸気口６２１から吸入した冷却空気は、前屈多翼部材でかき回され、遠心力によって外側方向に拡がるように、吐出口６２２から吹き出される。
【００５２】
軸流排気ファン６３は、筐体Ｒの前面に形成された排気口２Ｃと、外部から供給された電力を光源ランプユニット８０や光学装置４０、冷却ユニット６０等に供給する電源ユニット（図示省略）との間に配置されている。
【００５３】
まず、プロジェクタ１に設けられた空冷式・BR>フ冷却機構の構成について説明する。プロジェクタ１は、図５に示すように、主に光学装置４０（図１）を冷却する光学装置冷却系Ａと、主に光源ランプユニット１０を冷却する光源冷却系Ｂと、主に電源ユニット（図示省略）を冷却する電源冷却系Ｃとを備える。
光学装置冷却系Ａは、筐体Ｒの下面に形成される図示しない吸気口と、この吸気口の上方に配置される軸流吸気ファン６１と、光学部品用筐体２の底面において軸流吸気ファン６１の上方に形成される開口部２Ｄとを備える。
【００５４】
プロジェクタ１の外部の新鮮な冷却空気は、軸流吸気ファン６１により、筐体Ｒの吸気口から吸入され、開口部２Ｄを介して、光学部品用筐体２内に入り込む。この際、図示を省略するが、光学部品用筐体２の下面には、整流板が設けられており、これにより、光学部品用筐体２外部の冷却空気は、下から上へと流れるように整流されている。
【００５５】
図５の矢印で示すように、光学部品用筐体２内に導かれた冷却空気は、整流された結果、光学装置４０の下方から上方へと流れ、液晶パネル４２Ｒ，４２Ｇ、４２Ｂの表裏面側を通り、光学装置４０の上方へと流れる。
【００５６】
光源冷却系Ｂは、図５に示すように、シロッコファン６２と、ダクト６２Ａと、排気口２Ｂとを備える。この光源冷却系Ｂにおいて、光学装置冷却系Ａを通過した冷却空気は、シロッコファン６２によって吸引され、光源ランプユニット８０内に入り込んで光源ランプ１１を冷却した後に、光学部品用筐体２から出て光学系２０〜３５の下方に配置されたダクト６２Ａを通り、排気口２Ｂから外部へと排出される。
なお、光源ランプユニット８０の冷却機構についてはこの後詳述する。
【００５７】
電源冷却系Ｃは、電源ユニットの近傍に設けられた軸流排気ファン６３と、排気口２Ｃとを備える。この電源冷却系Ｃにおいて、高温空気は、軸流排気ファン６３によって吸引され、排気口２Ｃから排出される。この際、プロジェクタ１内全体の空気も同時に排出しており、プロジェクタ１内に熱がこもらないようになっている。
【００５８】
次に、光源ランプユニット８０の冷却機構について説明する。
図６は、光源ランプユニット８０の側面の一部を切り欠いて示す図であり、図７は、光源ランプユニット８０を上方から見た図である。
光源ランプユニット８０は保持部材８６を備え、この保持部材８６の筒部８６１の一方の側面には、保持部材本体８６３および吸収部材８６４が矩形状に切り欠かれて吸気口９０が形成され、他方の側面には、吸気口９０に応じた位置に排気口９５が形成されている。そして、吸気口９０とシロッコファン６２の吐出口６２２との位置関係は、光源ランプユニット８０の光軸にほぼ平行な直線上に揃えられており、ダクト１００によって吸気口９０とシロッコファン６２の吐出口６２２とが接続されている。また、排気口９５は、光学系２０〜３５下方のダクト６２Ａに接続されている（図５）。
【００５９】
ダクト１００は、箱状の合成樹脂射出成形品であり、互いに直交する２つの面に冷却空気の流路となる開口１０１，１０２がそれぞれ形成されている。このダクト１００は、吸気口９０に沿って設けられており、一方の開口１０１が吸気口９０に対応するとともに、他方の開口１０２は、シロッコファン６２の吐出口６２２に対応している。
【００６０】
吸気口９０の位置には、複数の羽根部材９１１を有するルーバ９１が形成されている。
このルーバ９１の各羽根部材９１１は、吸気口９０の開口面に対して傾斜配置されており、吸気口９０から吹き込まれた外部の空気を発光部１１１ないし反射部１２２側の封止部１１２に向けて整流し、冷却の効率化を図っている。
ここで、これらの各羽根部材９１１は、吸収部材８６４のプレス切り起こし加工によって、吸収部材８６４と一体形成された切り起こし片となっており、冷却空気がルーバ９１を通過する際に、羽根部材９１１が冷却されると同時に、光の吸収熱で過熱しやすい吸収部材８６４も冷却される。
しかも、各羽根部材９１１は吸収部材８６４と同材料で形成されているから、ルーバ９１の部分でも光吸収による遮光が可能となる。
【００６１】
具体的な冷却空気の流れは、図７に示されるように、シロッコファン６２の回転によって、光学装置４０周辺の冷却空気が吸気口６２１から吸入され、吐出口６２２からダクト１００内に吹き出される。そして、ダクト１００に入った冷却空気は、光源ランプユニット８０の吸気口９０から、羽根部材９１１に沿って、発光部１１１ないし反射部１２２側の封止部１１２に向かって吹き付けられ、排気口９５から排出された空気はダクト６２Ａ（図５）を通じて外部に排出される。
【００６２】
このようにシロッコファン６２からダクト１００を介して吸気口９０に導入された冷却空気は、主に発光部１１１ないし反射部１２２側の封止部１１２に向かって吹き付けられる。このような向きで冷却空気が吹き付けられるのは、前記実施形態で詳述したように、吸収部材１６４（本実施形態では吸収部材８６４）の光吸収により、特に楕円リフレクタ１２から突出する封止部１１２の突端部分で温度上昇が抑制され十分に低温化されることに基いている。
上述のように吸気口９０から導入した冷却空気は、羽根部材９１１の傾きを発光部１１１に向かうように設定し、この冷却空気を発光部１１１ないし反射部１２２側の封止部１１２に向けて流すことにより、光源ランプ１１全体を満遍なく、一層効果的に低温化できる。
さらに、冷却空気がルーバ９１を通過する際に、吸収部材８６４の光吸収熱が冷却空気によって吸収され、このように冷却された吸収部材８６４によって、光源ランプ１１から照射された光を十分に吸収できるので、光源ランプ１１の一層の低温化、ひいては、光源ランプユニット１０全体の低温化を図ることができる。
【００６３】
〔第３実施形態〕
次に、本発明の第３実施形態について説明する。
第２実施形態では、光源ランプユニット８０の吸気口９０とシロッコファン６２の吐出口６２２とを接続するダクト１００は、光源ランプユニット８０の光軸にほぼ平行な直線上に沿って設けられていたが、本実施形態では、ダクト１８０の形状および取り付けられる向きが相違する。以下、具体的に説明する。
図８は、本実施形態に係る光源ランプユニット１７０の側面図である。
光源ランプユニット１７０の吸気口９０と、シロッコファン６２の吐出口６２２との位置関係は、光源ランプユニット１７０の光軸に平行な直線上に揃えられていない。光源ランプユニット１７０の吸気口９０は、シロッコファン６２から吹き出される空気の拡がりに応じた位置に（ここでは、吐出口６２２よりも上方に）配置されている。
また、前記実施形態と同様に、シロッコファン６２が光源ランプユニット１７０の側方に沿って、光束射出前方側から光源ランプユニット１７０とはす向かいに配置されていることから、吐出口６２２からダクト１８０を介して吹き出す冷却空気の流路を延長すると、筒部８６１の上方に対応する吸収部材８６４の内周面に沿うことになる。
【００６４】
このような光源ランプユニット１７０とシロッコファン６２との位置関係があることから、ダクト１８０は、吐出口６２２および吸気口９０との間に斜めに設けられている。
そのため、回転による遠心力を伴ってシロッコファン６２から吹き出す空気が一方の開口１８１からダクト１８０内に滑らかに流入するとともに、ダクト１８０の他方の開口１８２から吸気口９０を介し、吸収部材８６４の筒部８６１の内周面に沿ってよどみなく流れることになる。
つまり、ダクト両端である開口１８１，１８２での風量損失および風圧損失が抑制され、シロッコファン６２から吸収部材８６４の内周面まで、空気が勢い良く吹き付けられる。この吸収部材８６４の内周面に沿って吹き込まれる冷却空気は、吸収部材８６４の上方（図８中のＹ方向）に沿った方向を含んで吹き込まれるので、上方に滞留しがちな高温空気が冷却空気によって一掃され、冷却空気は楕円リフレクタ１２内を上方から下方へ、さらに筒部８６１の下方から上方へ、また上方から下方へと廻るように流れながら、排気口９５（図６参照）から光源ランプユニット１７０外部へと排出される。
なお、吸気口９０にあるルーバ９１の整流方向をＸ方向とすると、吸収部材８６４の内周面はＹ方向にほぼ沿っているため、筒部８６１の内周面沿いに廻る空気の流れがルーバ９１によって妨げられることはない。
【００６５】
したがって、冷却空気が吸収部材８６４の内周面に風量十分にあたることになり、光源ランプ１１から放射された光の吸収による吸収部材８６４の温度上昇を考慮しても、吸収部材８６４は十分に冷却される。
すなわち、このように冷却された吸収部材８６４によって、光源ランプ１１から照射された光を十分に吸収できるので、光源ランプ１１の一層の温度上昇を抑制し低温化に寄与できる。
【００６６】
本発明は、前述の各実施形態に限定されるものではなく、以下に示すような変形をも含むものである。
前記各実施形態では、発光管として、メタルハライドランプ、高圧ないし超高圧水銀ランプが採用されていたが、これらの代わりにハロゲンランプ、キセノンランプ等も採用することができ、このような発光管についても、本発明によって十分低温化することができる。
【００６７】
吸収部材については、前記各実施形態で採用した黒アルマイト加工に限らず、例えば、腐食加工、エッチング等で表面を荒らすことによって、反射防止・光吸収する構成としても構わない。
また、吸収部材は、金属製に限らず、セラミックス等も採用できる。
さらに、吸収部材が配設される範囲については、前記各実施形態のように保持部材本体１６３の全体でなくても、副反射鏡を透過して光束が射出する一定範囲に配設することによって、全体に配設した場合とほぼ同様に、光源ランプの低温化を図ることができる。
なお、保持部材によって、楕円リフレクタの光束射出前方を密閉してもよい。
前記実施形態では、光源ランプユニット１０に平行化凹レンズ１４を備える構成を説明したが、それに限られず、例えばガラス部材等の透明部材を採用できる。
【００６８】
前記各実施形態では、光源ランプユニット１０の冷却用にシロッコファン６２が採用されていたが、代わりに軸流ファンを採用しても良い。この場合、軸流ファンから空気が吹き出す回転軸方向に応じた向きおよび形状に、ダクトおよび光源装置の吸気口を設けることが好ましい。
前記実施形態では、３つの液晶パネル４２Ｒ，４２Ｇ，４２Ｂを用いたプロジェクタ１の例のみを挙げたが、本発明は、１つの液晶パネルのみを用いたプロジェクタ、２つの液晶パネルを用いたプロジェクタ、あるいは、４つ以上の液晶パネルを用いたプロジェクタにも適用可能である。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板は省略できる。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記実施形態では、プロジェクタに本発明の光源装置を採用していたが、本発明はこれに限らず、他の光学機器に本発明の光源装置を適用してもよい。
その他、本発明の実施に際して、具体的な構造及び形状等については、本発明の目的を達成できる範囲で他の構造等とすることができる。
【産業上の利用可能性】
【００６９】
本発明の光源装置は、プロジェクタに利用できる他、その他の光学機器、光学電子機器、照明系などにも利用することができる。
【図面の簡単な説明】
【００７０】
【図１】本発明の第１実施形態に係るプロジェクタの内部構造を模式的に示す平面図。
【図２】前記実施形態における光源ランプユニットを示す斜視図。
【図３】前記実施形態における光源ランプユニットを示す側断面図。
【図４】前記実施形態における光源ランプユニットを示す側断面図。
【図５】本発明の第２実施形態に係るプロジェクタの構造を模式的に示す平面図。
【図６】前記実施形態における光源ランプユニットを示す斜視図。
【図７】前記実施形態における光源ランプユニットを上方から見た断面図。
【図８】本発明の第３実施形態における光源ランプユニットを示す側面図。
【符号の説明】
【００７１】
１…プロジェクタ、１０，１７０…光源ランプユニット（光源装置）、１１…光源ランプ（発光管）、１２…楕円リフレクタ、１３…副反射鏡、１４…平行化凹レンズ（透明部材）、１６，８６…保持部材、６２…シロッコファン、８０…光源ランプユニット、９０…吸気口、９１…ルーバ、９５…排気口、１００，１８０…ダクト、１１１…発光部、１１２…封止部、１１３…電極，１６１，８６１…筒部、１６３…保持部材本体、１６４，８６４…吸収部材、９１１…羽根部材。
【図１】
2006106656.tif 000003
【図２】
2006106656.tif 000004
【図３】
2006106656.tif 000005
【図４】
2006106656.tif 000006
【図５】
2006106656.tif 000007
【図６】
2006106656.tif 000008
【図７】
2006106656.tif 000009
【図８】
2006106656.tif 000010